(57)【要約】【課題】電子番組ガイドを利用したより好適なユーザ嗜好性情報を収集することが可能な嗜好性情報管理装置を提供すること。【解決手段】嗜好性情報管理装置は、所定コンテンツの再生に対応して視聴ユーザの注目度及び表情を評価する評価手段と、電子番組ガイドに含まれた前記所定コンテンツの属性情報の中のジャンルに対応した満足度算出手法を選択し、選択された満足度算出手法に基づき注目度の評価値及び表情の評価値のうち少なくとも注目度の評価値から前記所定コンテンツに対する満足度を算出する算出手段と、前記所定コンテンツの属性情報及び前記所定コンテンツに対する満足度に基づき視聴ユーザの嗜好性を判断する判断手段と、前記視聴ユーザの嗜好性判断の結果に基づき得られる前記視聴ユーザの嗜好性情報を記憶する記憶手段とを備える。【選択図】      図２
2009267445.tif 000002
【特許請求の範囲】
【請求項１】
複数のコンテンツの属性情報を含むとともにこれら複数のコンテンツの放送スケジュールを管理した電子番組ガイドにより管理された所定コンテンツを再生する再生手段と、
前記所定コンテンツの再生に対応して視聴ユーザの注目度及び表情を評価する評価手段と、
前記電子番組ガイドに含まれた前記所定コンテンツの属性情報の中の前記所定コンテンツのジャンルに対応した満足度算出手法を選択し、選択された満足度算出手法に基づき前記評価手段により評価された注目度の評価値及び表情の評価値のうち少なくとも注目度の評価値から前記視聴ユーザの前記所定コンテンツに対する満足度を算出する算出手段と、
前記所定コンテンツの属性情報及び前記所定コンテンツに対する満足度に基づき前記視聴ユーザの嗜好性を判断する判断手段と、
前記判断手段による前記視聴ユーザの嗜好性判断の結果に基づき得られる前記視聴ユーザの嗜好性情報を記憶する記憶手段と、
を備えた嗜好性情報管理装置。
【請求項２】
前記算出手段は、第１のジャンルのコンテンツの満足度算出のために前記注目度の評価値と前記表情の評価値に基づき満足度を算出する第１の満足度算出方法を選択し、第２のジャンルのコンテンツの満足度算出のために前記注目度の評価値に基づき満足度を算出する第２の満足度算出方法を選択することを特徴とする請求項１に記載の嗜好性情報管理装置。
【請求項３】
前記評価手段は、前記視聴ユーザの視線の向きを検出し検出された視線の向きに基づき前記注目度の評価値を算出し、前記視聴ユーザの笑顔レベルを検出し検出された笑顔レベルに基づき前記表情の評価値を算出することを特徴とする請求項１に記載の嗜好性情報管理装置。
【請求項４】
前記視聴ユーザの嗜好性情報及び前記電子番組ガイドに含まれた複数のコンテンツの属性情報に基づき前記視聴ユーザに対して推薦するコンテンツを案内する案内手段を備えたことを特徴とする請求項１に記載の嗜好性情報管理装置。
【請求項５】
前記視聴ユーザの嗜好性情報及び前記電子番組ガイドに含まれた複数のコンテンツの属性情報に基づき前記視聴ユーザに対して推薦するコンテンツを録画する録画手段を備えたことを特徴とする請求項１に記載の嗜好性情報管理装置。
【請求項６】
前記算出手段は、前記所定コンテンツの再生時間毎の満足度を算出することを特徴とする請求項１に記載の嗜好性情報管理装置。
【請求項７】
前記所定コンテンツを録画する録画手段と、
前記所定コンテンツの再生時間毎の満足度に基づき、録画された前記所定コンテンツの再生を制御する再生制御手段と、
を備えたことを特徴とする請求項６に記載の嗜好性情報管理装置。
【請求項８】
前記再生制御手段は、前記所定コンテンツ中の所定の満足度以上のシーンを検索し再生することを特徴とする請求項７に記載の嗜好性情報管理装置。
【請求項９】
複数のコンテンツの属性情報を含むとともにこれら複数のコンテンツの放送スケジュールを管理した電子番組ガイドにより管理された所定コンテンツを再生し、
前記所定コンテンツの再生に対応して視聴ユーザの注目度及び表情を評価し、
前記電子番組ガイドに含まれた前記所定コンテンツの属性情報の中の前記所定コンテンツのジャンルに対応した満足度算出手法を選択し、
前記選択された満足度算出手法に基づき前記評価手段により評価された注目度の評価値及び表情の評価値のうち少なくとも注目度の評価値から前記視聴ユーザの前記所定コンテンツに対する満足度を算出し、
前記所定コンテンツの属性情報及び前記所定コンテンツに対する満足度に基づき前記視聴ユーザの嗜好性を判断し、
前記視聴ユーザの嗜好性判断の結果に基づき得られる前記視聴ユーザの嗜好性情報を記憶する、
ことを特徴とするユーザ嗜好性管理方法。
【発明の詳細な説明】
【技術分野】
【０００１】
本発明は、電子番組ガイド（Electronic Program Guide）を利用した嗜好性情報管理装置及び嗜好性情報管理方法に関する。
【背景技術】
【０００２】
近年、番組放送の多チャンネル化が進み、これに着目し各メーカーは視聴者の視聴傾向に応じたサービスを提供するために、視聴傾向を収集するための様々な技術を提案している。
【０００３】
例えば、センシング装置により、コンテンツを視聴している視聴者の表情、視線、瞬き、体温（皮膚温度）、血圧、心拍数、発汗の少なくとも一つ以上をセンシングすることにより、コンテンツに対する視聴者の感情、気分を推定し、視聴者の視聴傾向（嗜好性）を収集する技術が提案されている（特許文献１参照）。
【特許文献１】特開２００５−１４２９７５
【発明の開示】
【発明が解決しようとする課題】
【０００４】
コンテンツには、コメディー番組、感動番組など様々なものが存在している。例えば、コメディー番組の視聴者の表情から笑顔が検出されれば（コメディー番組の視聴時間に対して笑顔が検出されている時間が長ければ）、このコメディー番組に対する視聴者の満足度は比較的高いと判断でき、逆に視聴者の表情から笑顔が検出されなければ（コメディー番組の視聴時間に対して笑顔が検出されている時間が短ければ）、このコメディー番組に対する視聴者の満足度は比較的低いと判断できる。
【０００５】
しかしながら、感動番組の視聴者の表情から笑顔が検出されなかったからといって（感動番組の視聴時間に対して笑顔が検出されている時間が短かったからといって）、この感動番組に対する視聴者の満足度が低いとは限らない。
【０００６】
つまり、視聴者の表情を一定の基準で評価した場合、この評価値に基づき全てのコンテンツに対する視聴者の満足度を検出しても、検出された満足度の信頼性は決して高いものではない。しかし、視聴者の表情から笑顔だけでなく、感動した表情や泣き顔などを検出するとなると、表情検出技術の向上が必要となりコスト増など別の問題を招くことになる。
【０００７】
本発明の目的は、好適なユーザ嗜好性情報を収集することが可能な嗜好性情報管理装置及び嗜好性情報管理方法を提供することにある。
【課題を解決するための手段】
【０００８】
この発明の一実施形態に係る嗜好性情報管理装置は、複数のコンテンツの属性情報を含むとともにこれら複数のコンテンツの放送スケジュールを管理した電子番組ガイドにより管理された所定コンテンツを再生する再生手段と、前記所定コンテンツの再生に対応して視聴ユーザの注目度及び表情を評価する評価手段と、前記電子番組ガイドに含まれた前記所定コンテンツの属性情報の中の前記所定コンテンツのジャンルに対応した満足度算出手法を選択し、選択された満足度算出手法に基づき前記評価手段により評価された注目度の評価値及び表情の評価値のうち少なくとも注目度の評価値から前記視聴ユーザの前記所定コンテンツに対する満足度を算出する算出手段と、前記算出手段により算出された前記所定コンテンツに対する満足度を含む視聴履歴を管理する管理手段と、複数のコンテンツの属性情報を含むとともにこれら複数のコンテンツの放送スケジュールを管理した電子番組ガイドにより管理された所定コンテンツを再生する再生手段と、前記所定コンテンツの再生に対応して視聴ユーザの注目度及び表情を評価する評価手段と、前記電子番組ガイドに含まれた前記所定コンテンツの属性情報の中の前記所定コンテンツのジャンルに対応した満足度算出手法を選択し、選択された満足度算出手法に基づき前記評価手段により評価された注目度の評価値及び表情の評価値から前記視聴ユーザの前記所定コンテンツに対する満足度を算出する算出手段と、前記所定コンテンツの属性情報及び前記所定コンテンツに対する満足度に基づき前記視聴ユーザの嗜好性を判断する判断手段と、前記判断手段による前記視聴ユーザの嗜好性判断の結果に基づき得られる前記視聴ユーザの嗜好性情報を記憶する記憶手段と、を備えている。
【０００９】
この発明の一実施形態に係る嗜好性情報管理方法は、複数のコンテンツの属性情報を含むとともにこれら複数のコンテンツの放送スケジュールを管理した電子番組ガイドにより管理された所定コンテンツを再生し、前記所定コンテンツの再生に対応して視聴ユーザの注目度及び表情を評価し、前記電子番組ガイドに含まれた前記所定コンテンツの属性情報の中の前記所定コンテンツのジャンルに対応した満足度算出手法を選択し、前記選択された満足度算出手法に基づき前記評価手段により評価された注目度の評価値及び表情の評価値のうち少なくとも注目度の評価値から前記視聴ユーザの前記所定コンテンツに対する満足度を算出し、前記所定コンテンツの属性情報及び前記所定コンテンツに対する満足度に基づき前記視聴ユーザの嗜好性を判断し、前記視聴ユーザの嗜好性判断の結果に基づき得られる前記視聴ユーザの嗜好性情報を記憶する。
【発明の効果】
【００１０】
本発明によれば、好適なコンテンツ嗜好性情報を収集することが可能な嗜好性情報管理装置及び嗜好性情報管理方法を提供できる。
【発明を実施するための最良の形態】
【００１１】
以下、図面を参照し、本発明の実施形態について説明する。
【００１２】
図１は、本発明の一実施形態に係る嗜好性情報管理装置が適用されたデジタルテレビジョン放送受信装置１の概略構成を示す図である。以下、図１を参照し、デジタルテレビジョン放送受信装置１について説明し、次に、図２を参照し、嗜好性情報管理装置について説明する。なお、図１に示す嗜好性情報管理部１００は、嗜好性情報管理装置の主要部である。
【００１３】
ＢＳ／ＣＳデジタル放送受信用のアンテナ４３で受信した衛星デジタルテレビジョン放送信号は、入力端子４４を介して衛星デジタル放送用のチューナ４５に供給される。チューナ４５は、受信された衛星デジタルテレビジョン放送信号に含まれる複数のチャンネルの放送信号の中から、所望のチャンネルの放送信号を選局する。
【００１４】
チューナ４５で選局された所望のチャンネルの放送信号は、ＰＳＫ（Phase Shift Keying）復調器４６に供給される。ＰＳＫ復調器４６は、所望のチャンネルの放送信号をデジタルの映像信号及び音声信号に復調し、これら映像信号及び音声信号を信号処理部４７に出力する。
【００１５】
また、地上デジタル放送受信用のアンテナ４８で受信した地上デジタルテレビジョン放送信号は、入力端子４９を介して地上デジタル放送用のチューナ５０に供給される。チューナ５０は、受信された地上デジタルテレビジョン放送信号に含まれる複数のチャンネルの放送信号の中から、所望のチャンネルの放送信号を選局する。
【００１６】
チューナ５０で選局された所望のチャンネルの放送信号は、ＯＦＤＭ（Orthogonal Frequency Division Multiplexing）復調器５１に供給される。ＯＦＤＭ復調器５１は、所望のチャンネルの放送信号をデジタルの映像信号及び音声信号に復調し、これら映像信号及び音声信号を信号処理部４７に出力する。
【００１７】
また地上波アナログテレビジョン放送信号用のアナログチューナ５８も設けられており、このアナログチューナ５８は、受信された地上波アナログテレビジョン放送信号に含まれる複数のチャンネルの放送信号の中から、所望のチャンネルの放送信号を選局する。
【００１８】
チューナ５８で選局された所望のチャンネルの放送信号は、アナログ復調器５９に供給される。アナログ復調器５９は、所望のチャンネルの放送信号を映像信号及び音声信号に復調し、これら映像信号及び音声信号を信号処理部４７に出力する。
【００１９】
信号処理部４７は、ＰＳＫ復調器４６から供給されたデジタルの映像信号及び音声信号と、ＯＦＤＭ復調器５１から供給されたデジタルの映像信号及び音声信号と、アナログ復調器５９から供給された映像信号及び音声信号と、さらにライン入力端子からの映像信号及び音声信号とに対して、所定のデジタル信号処理を施し、グラフィック処理部５２及び音声処理部５３に出力する。
【００２０】
グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７からのデジタルの出力映像信号又はＯＳＤ信号が重畳されたデジタルの出力映像信号を映像処理部５５へ出力する。
【００２１】
映像処理部５５は、デジタルの映像信号を映像表示器５７で表示可能なフォーマットのアナログの映像信号に変換する。映像表示器５７は、変換されたアナログの映像信号に基づく映像を出力する。
【００２２】
音声処理部５３は、信号処理部４７から供給されるデジタルの音声信号を、内部スピーカ５６で再生可能なフォーマットのアナログの音声信号に変換し、変換されたアナログの音声信号を内部スピーカ５６に出力する。内部スピーカ５６は、変換されたアナログの音声信号に基づき音声を再生する。
【００２３】
制御部６１は、ＣＰＵ（Central Processing Unit）を含み、制御部６１は、上記した放送信号の受信、放送信号の処理、及び放送信号の出力を制御する。さらに、制御部６１は、所定コンテンツに対する視聴ユーザの注目度及び表情の評価、所定コンテンツに対する視聴ユーザの満足度の算出、視聴ユーザの嗜好性の収集、嗜好性情報に基づく推薦番組の案内、嗜好性情報に基づく推薦番組の録画、及び録画された推薦番組の再生などの動作を制御する。これらの制御については以下で詳細に説明する。また、制御部６１は、操作部７１から入力される操作情報、または、受光部７３経由で入力されるリモートコントローラ７２からの操作情報に基づき、各部を制御する。
【００２４】
制御部６１は、ＣＰＵが実行する制御プログラムを格納したＲＯＭ（Read Only Memory）６１１と、ＣＰＵに作業エリアを提供するＲＡＭ（Random Access Memory）６１２と、各種の設定情報及び制御情報等が格納される不揮発性メモリ６１３を含む。
【００２５】
制御部６１は、カードＩ／Ｆ７５を介して、第１のメモリカード７７が装着可能なカードホルダ７６に接続されている。これによって、制御部６１は、カードホルダ７６に装着された第１のメモリカード７７と、カードＩ／Ｆ７５を介して情報の送受信を行なうことができる。制御部６１は、さらに別のカードＩ／Ｆを介して、第２のメモリカードが装着可能なカードホルダに接続されてもよい。
【００２６】
また、制御部６１は、通信Ｉ／Ｆ８１を介して第１のＬＡＮ端子８２に接続されている。これにより、制御部６１は、第１のＬＡＮ端子８２に接続されたＬＡＮ対応のＨＤＤ（ハードディスクドライブ装置）と、通信Ｉ／Ｆ８１を介して情報の送受信を行なうことができる。さらに、制御部６１は、ＤＨＣＰ（Dynamic Host Configuration Protocol）サーバ機能を有し、第１のＬＡＮ端子８２に接続されたＬＡＮ対応のＨＤＤにＩＰ（Internet Protocol）アドレスを割り当て、ＨＤＤの動作を制御する。さらに、制御部６１は、別の通信Ｉ／Ｆを介して第２のＬＡＮ端子に接続されてもよい。
【００２７】
また、制御部６１は、ＵＳＢ Ｉ／Ｆ８３を介してＵＳＢ端子８４に接続されている。これにより、制御部６１は、ＵＳＢ端子８４に接続された各機器と、ＵＳＢ Ｉ／Ｆ８３を介して情報の送受信を行なうことができる。
【００２８】
また、制御部６１は、ｉ．Link（登録商標） Ｉ／Ｆ８５を介してｉ．Link端子８６に接続されている。これにより、制御部６１は、ｉ．Link端子８６に接続された各機器と、ｉ．Link Ｉ／Ｆ８５を介して情報の送受信を行なうことができる。
【００２９】
また、制御部６１は、ＨＤＭＩ（High Definition Multimedia Interface）規格に合致したＨＤＭＩ Ｉ／Ｆ８７を介してＨＤＭＩ端子８８に接続された各機器と情報の送受信を行なうことができる。
【００３０】
また、制御部６１は、電子番組ガイドを管理するための番組ガイド管理部６１４を有し、さらに、制御部６１は、嗜好性情報管理装置の主要部である嗜好性情報管理部１００を有する。
【００３１】
なお、制御部６１による各制御機能は、ソフトウエアにより実現されるものであってもよい。
【００３２】
次に、図１及び図２を参照して、デジタルテレビジョン放送受信装置１に適用された嗜好性情報理装置について説明する。図２に示すように、嗜好性情報管理装置は、センサー部１０１、ユーザ識別部１０２、ユーザ情報データベース１０３、嗜好性情報部１０４、嗜好性判断部１０５、ユーザ嗜好性データベース１０６、お勧め番組管理部１０７、出力部１０８、視聴制御部１１０を備えている。視聴制御部１１０は、視聴履歴管理部１１１、視聴コンテンツ抽出部１１２、及びＥＰＧ（Electronic Program Guide）記憶部１１３を備えている。
【００３３】
例えば、視聴履歴管理部１００は、ユーザ識別部１０２、嗜好性情報部１０４、嗜好性判断部１０５、お勧め番組管理部１０７、視聴制御部１１０、視聴履歴管理部１１１、視聴コンテンツ抽出部１１２を含む。また、不揮発性メモリ６１３が、ユーザ情報データベース１０３、ユーザ嗜好性データベース１０６、ＥＰＧ記憶部１１３を含み、スピーカ５６及び映像表示装置５７が、出力部１０８に対応する。
【００３４】
ここで、上記した電子番組ガイドについて説明する。電子番組ガイドは、信号処理部４７を介して取得されたり（つまり電子番組ガイドは放送信号から取得されたり）、ＬＡＮ端子８２を介して取得されたりする（つまり電子番組ガイドはインターネット経由で取得されたりする）。電子番組ガイドは、複数のコンテンツの属性情報を含むとともにこれら複数のコンテンツの放送スケジュールを管理する。例えば、所定コンテンツの属性情報は、この所定コンテンツのタイトル、この所定コンテンツの放送時間情報（放送開始時刻情報、放送終了時刻情報、放送時間）、この所定コンテンツのジャンル情報（この所定コンテンツがコメディー（お笑い）、スポーツ、ドラマ（感動ドラマ）の何れに該当するかを示す情報）、この所定コンテンツの出演者情報（タレントＡ、タレントＢなど）、及びこの所定コンテンツのキーワード（美容、韓国、ダイエットなど）を含む。また、操作部７１から入力される電子番組ガイドの表示指示、または、受光部７３経由で入力されるリモートコントローラ７２からの電子番組ガイドの表示指示に基づき、取得された電子番組ガイドが映像表示部５７に表示される。
【００３５】
次に、図３に示すフローチャートを参照し、嗜好性情報管理の一例について説明する。
【００３６】
例えば、最初に、制御部６１は、操作部７１から入力される所定チャンネルの選択指示、または、受光部７３経由で入力されるリモートコントローラ７２からの所定チャンネルの選択指示に基づき、電子番組ガイドにより管理された所定チャンネルの所定コンテンツの再生を制御する。これに対応して、映像表示部５７には所定コンテンツの映像が出力され、スピーカ５６にも所定コンテンツの音声が出力される。視聴履歴管理部１１１は、この所定コンテンツの再生に対応して、この所定コンテンツが視聴されたことを示す視聴履歴を管理する。例えば、この視聴履歴は、所定コンテンツの視聴時間情報も含む。
【００３７】
また、センサー部１０１は、リアルタイムに視聴ユーザの特徴情報を抽出し（ＳＴ１）、ユーザ識別部１０２は、リアルタイムに抽出された特徴情報に基づき視聴ユーザを識別するとともに、抽出された特徴情報からユーザ情報を抽出する（ＳＴ２）。例えば、センサー部１０１はカメラであり、特徴情報は視聴ユーザの顔画像情報であり、ユーザ情報は視聴ユーザの注目度の評価値及び表情の評価値である（図４参照）。なお、ユーザ情報は、これらだけに限定されるものではなく、さらにセンサーにより検出される声、しぐさなどを含めてもよい。例えば、ユーザ識別部１０２は、顔画像情報を解析し、視聴ユーザの視線の向きを検出し、検出された視線の向きに基づき注目度の評価値を算出する。言い換えると、注目度の評価値は、視聴ユーザがどのぐらいコンテンツを見ていたかを示す情報である。また、ユーザ識別部１０２は、画像情報を解析し、視聴ユーザの笑顔レベルを検出し検出された笑顔レベルに基づき表情の評価値を算出する。なお、上記したように、ユーザ情報の項目を増やして（注目度、表情、声、しぐさなど）、視聴ユーザの喜怒哀楽を検出しこれらに基づき表情の評価値を算出するようにしてもよい。抽出されたユーザ情報は、抽出時刻とともに、ユーザ情報データベース１０３へ登録される。
【００３８】
続いて、視聴コンテンツ抽出部１１２は、視聴履歴管理部１１１により管理されている視聴履歴に基づき所定時刻に視聴された所定コンテンツを取得し（ＳＴ３）、さらに、電子番組ガイドから所定時刻に視聴された所定コンテンツの属性情報（詳細情報）を取得し（ＳＴ４）、所定時刻に視聴された所定コンテンツの属性情報を嗜好性判断部１０５へ提供する。また、嗜好性情報部１０４は、ユーザ情報データベース１０３に登録された所定時刻に抽出されたユーザ情報を嗜好性判断部１０５へ提供する。
【００３９】
嗜好性判断部１０５は、所定時刻に視聴された所定コンテンツの属性情報及び所定時刻に抽出されたユーザ情報に基づき所定コンテンツに対する視聴ユーザの満足度を算出し、所定コンテンツを評価する（ＳＴ５）。所定コンテンツに対する視聴ユーザの満足度は、所定コンテンツに対する注目度の評価値、所定コンテンツに対する表情の評価値、及び電子番組ガイド（所定コンテンツの属性情報）に基づき算出される。より具体的には、嗜好性判断部１０５は、所定コンテンツの属性情報の中の所定コンテンツのジャンルに対応した満足度算出手法（注目度の評価値と表情の評価値から満足度を算出するのか、注目度の評価値だけで満足度を算出するのか）を選択し、選択された満足度算出手法に基づき注目度の評価値及び表情の評価値のうち少なくとも注目度の評価値から視聴ユーザの所定コンテンツに対する満足度を算出する。
【００４０】
例えば、嗜好性判断部１０５は、第１のジャンル（例えばコメディー番組）のコンテンツの満足度算出のために注目度の評価値と表情の評価値に基づき満足度を算出する第１の満足度算出方法を選択し、第２のジャンル（例えば感動番組）のコンテンツの満足度算出のために注目度の評価値に基づき満足度を算出する第２の満足度算出方法を選択する。これは、注目度の評価値が全てのコンテンツに共通の満足度の要素になるのに対して、表情の評価値（笑顔のレベル）が全てのコンテンツに共通の満足度の要素にならないからである。例えば、コメディー番組に対する視聴ユーザの注目度の評価値が高く表情の評価値（笑顔のレベル）も高い場合には満足度が高いと判断する。これに対して感動番組に対する視聴ユーザの注目度の評価値が高ければ表情の評価値（笑顔のレベル）に関係なく満足度が高いと判断する。
【００４１】
図５は、ジャンル別の満足度算出の一例を示す図である。第１のジャンル（お笑い）のコンテンツ再生に対応して得られた注目度の評価値（９０％）及び表情の評価値（１０％）から満足度（５０％）が得られる。このケースは、注目度の評価値は高いが表情の評価値が低いため、満足度がやや低めに算出される例である。また、第２のジャンル（感動ドラマ）のコンテンツ再生に対応して得られた注目度の評価値（９０％）から満足度（９０％）が得られる。このケースも、注目度の評価値は高く表情の評価値が低いが、表情の評価値が満足度算出の要素から外されているため、満足度が高めに算出される例である。
【００４２】
嗜好性情報部１０５は、所定コンテンツの属性情報及び所定コンテンツに対する満足度に基づき視聴ユーザの嗜好性を判断し、視聴ユーザの嗜好性判断の結果に基づき得られる視聴ユーザの嗜好性情報をユーザ嗜好性データベース１０６へ登録する（ＳＴ１０８）。例えば、嗜好性情報は、複数の項目別の嗜好性情報により構成される。つまり、嗜好性情報は、ジャンルに対する嗜好性情報、出演者に対する嗜好性情報、キーワードに対する嗜好性情報により構成される。具体例を挙げると、所定コンテンツの属性情報により、所定コンテンツのジャンルが「コメディー」で、所定コンテンツの出演者に「タレントＡ」が含まれており、所定コンテンツのキーワードに「美容」が含まれていることが示されている場合であって、この所定コンテンツに対する満足度が５０％であれば、ジャンルに対する嗜好性情報としてコメディーに対して５０点が加算され、出演者に対する嗜好性情報としてタレントＡに対しても５０点が加算される。また、キーワード「美容」に対しては登場回数がカウント（＋１）される。嗜好性情報部１０５は、このようにして複数のコンテンツに対する満足度から嗜好性情報を収集し、例えば、１０００点以上獲得したジャンルを検索したり、５００点以上獲得した出演者を検索したり、登場回数１０回以上のキーワードを検索したりする。
【００４３】
嗜好性情報部１０５は、図６に示すように、算出した満足度に基づきコンテンツ満足度ランキングを生成したり、嗜好性情報に基づき出演者ランキング（人物ランキング）を生成したり、同じく嗜好性情報に基づきキーワードランキングを生成したりすることができる。また、嗜好性情報部１０５は、特にユーザの満足度の高いコンテンツのジャンルやキーワードをお気に入りとして登録することもできる（ＳＴ１０６、ＹＥＳ）（ＳＴ１０７）。
【００４４】
なお、嗜好性情報をユーザに対してフィードバックし、嗜好性情報をより正確な情報に加工することもできる。例えば、ユーザ嗜好性データベース１０６に登録された嗜好性情報を映像表示部５７に表示し、受光部７３経由で入力されるリモートコントローラ７２からの嗜好性情報補正指示に基づき、嗜好性判断部１０５が嗜好性情報を補正する。例えば、タレントＡが獲得している点数を加算したり、減算したりする。
【００４５】
また、お勧め番組管理部１０７は、ユーザ嗜好性データベースに登録された嗜好性情報に基づき電子番組ガイド中から推薦コンテンツを検出することができる。或いは、お勧め番組管理部１０７は、上記したランキングに基づき電子番組ガイド中から推薦コンテンツを検出することができる。例えば、１０００点以上獲得したジャンルのコンテンツを推薦コンテンツとして検出したり、５００点以上獲得した出演者が出演しているコンテンツを推薦コンテンツとして検出したり、出演者ランキング３位までの出演者が出演するコンテンツを推薦コンテンツとして検出したり、キーワードランキング３位までのキーワードを含むコンテンツを推薦コンテンツとして検出したりできる。さらに、ＯＳＤ信号生成部５４は、推薦コンテンツ情報に対応するＯＳＤ信号を映像表示部５７に出力したり（図７参照）、電子番組ガイド管理部６１４が、推薦コンテンツの番組欄に推薦を示すマークを付加した電子番組ガイドを出力したりする。
【００４６】
また、信号処理部４７が、お勧め番組管理部１０７により検出された推薦コンテンツの映像信号及び音声信号を所定の記録フォーマットに変換し、ＬＡＮ端子８２又はＵＳＢ端子８４を介して外部記憶装置へ記録するようにしてもよい。
【００４７】
次に、上記した所定コンテンツの満足度についてより詳細に説明し、満足度を利用した再生制御について説明する。
【００４８】
ユーザ識別部１０２は、所定コンテンツの再生時間毎に注目度の評価値を算出し、また嗜好性判断部１０５も、所定コンテンツの再生時間毎に満足度を算出する。嗜好性判断部１０５は、これら注目度の評価値と満足度と所定コンテンツの視聴履歴を組み合わせて、図８に示すような所定コンテンツの再生時間に対応した注目度及び満足度の推移情報を生成する。図８に示すように、シュートシーンで注目度の評価値は高くなるが、シュートが外れたので視聴ユーザはがっかりし表情の評価値が下がり結果的に満足度が低下している。
【００４９】
例えば、上記した所定コンテンツが、ＬＡＮ端子８２又はＵＳＢ端子８４に接続された外部記憶装置に記録されていると仮定し、お勧め番組管理部１０７は、上記した所定コンテンツの再生時間に対応した注目度及び満足度の推移情報に基づき、記録された所定コンテンツの再生を制御する。例えば、操作部７１から入力される注目シーン再生指示、または、受光部７３経由で入力されるリモートコントローラ７２からの注目シーン再生指示に基づき、お勧め番組管理部１０７は、所定レベル以上の注目度の評価値に対応したシーンだけを検索し再生する。また、操作部７１から入力される満足シーン再生指示、または、受光部７３経由で入力されるリモートコントローラ７２からの満足シーン再生指示に基づき、お勧め番組管理部１０７は、所定レベル以上の満足度に対応したシーンだけを検索し再生する。
【００５０】
以下に、本実施形態の嗜好性情報管理についてまとめる。
【００５１】
所定コンテンツの再生に対応して、センサー部（カメラなど）がユーザ情報（注目度、表情など）をリアルタイムに取得し、ＥＰＧに含まれる所定コンテンツの属性情報に応じた手法で、取得されたユーザ情報から満足度を算出しこの所定コンテンツを評価する。さらに、この所定コンテンツの属性情報及び満足度から、この所定コンテンツに対するユーザの嗜好性を判断し、視聴ユーザの嗜好性判断の結果に基づき得られる視聴ユーザの嗜好性情報を記憶する。
【００５２】
つまり、視聴ユーザの注目度の評価値及び表情の評価値により全てのコンテンツに対する満足度を均一に算出するのではなく、コンテンツの属性情報（種別）に応じた満足度算出方法により満足度を算出する。このため、より正確な満足度を算出することができ、その結果、嗜好性情報もより正確なものとなる。
【００５３】
なお、本実施形態では、満足度が高いコンテンツ、嗜好性が高いジャンル、嗜好性が高い出演者、嗜好性が高いキーワードを検出し、これらの情報を案内したり、これらの情報に基づき検出されたコンテンツを推薦したり、さらには録画したり、満足度の高いシーンを抜き出して再生したりするケースについて説明したが、本発明はこれだけに限定されるものではない。例えば、満足度が低いコンテンツ、嗜好性が低いジャンル、嗜好性が低い出演者、嗜好性が低いキーワードを検出し、これらの情報を案内したり、満足度の低いシーンを飛ばして再生することもできる。
【００５４】
また、本実施形態では、上記したように、ユーザ識別部１０２によるユーザ識別が可能であり、このユーザ識別を利用して、嗜好性情報をユーザ別に管理することも可能である。
【００５５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５６】
【図１】本発明の一実施形態に係る嗜好性情報管理装置が適用されたデジタルテレビジョン放送受信装置の概略構成を示すブロック図である。
【図２】嗜好性情報管理装置の概略構成を示すブロック図である。
【図３】嗜好性情報管理の一例を説明するための図である。
【図４】注目度及び表情を説明するための図である。
【図５】満足度算出の一例を示す図である。
【図６】人物ランキング、コンテンツ満足度ランキング、キーワードランキングの一例を示す図である。
【図７】推薦コンテンツの案内の一例を示す図である。
【図８】所定コンテンツの再生時間に対応した注目度及び満足度の推移を説明するための図である。
【符号の説明】
【００５７】
１０１…センサー部、１０２…ユーザ識別部、１０３…ユーザ情報データベース、１０４…嗜好性情報部、１０５…嗜好性判断部、１０６…ユーザ嗜好性データベース、１０７…お勧め番組管理部、１０８…出力部、１１０…視聴制御部
【図１】
2009267445.tif 000003
【図２】
2009267445.tif 000004
【図３】
2009267445.tif 000005
【図４】
2009267445.tif 000006
【図５】
2009267445.tif 000007
【図６】
2009267445.tif 000008
【図７】
2009267445.tif 000009
【図８】
2009267445.tif 000010